(57)【要約】【課題】ビーズへの挿通作業が容易で作業時間を短縮でき、作業者に疲れが溜まり難いビーズ用糸通し具を提供する。【解決手段】直線状に延びる本体部２を備える。本体部２一端に環状部３を介して間接に糸１１を繋いだ状態で、ビーズ１０の貫通孔１０ａに本体部２を他端から挿通させる。ビーズ１０を本体部２の一端側に移動させて本体部２の一端及び環状部３を通過させることによりビーズ１０の貫通孔１０ａに糸１１が通される。本体部２の他端側には、ビーズ１０の貫通孔１０ａに挿通する際に撓み変形してビーズ１０の本体部２への外嵌を許容し、貫通孔１０ａを通過した状態で復元してビーズ１０の本体部２他端側からの脱落を規制する鈎状部４が設けられている。【選択図】図１
2012219390.tif 000002
【特許請求の範囲】
【請求項１】
直線状に延びる本体部を備え、
該本体部一端に直接又は間接に糸を繋いだ状態で、ビーズの貫通孔に上記本体部を他端から挿通させ、且つ、上記ビーズを上記本体部の一端側に移動させて本体部の一端を通過させることにより上記ビーズの貫通孔に糸が通されるように構成されたビーズ用糸通し具であって、
上記本体部の他端側には、上記ビーズの貫通孔に挿通する際に撓み変形して該ビーズの上記本体部への外嵌を許容し、当該貫通孔を通過した状態で復元して上記ビーズの上記本体部他端側からの脱落を規制する鈎状部が設けられていることを特徴とするビーズ用糸通し具。
【請求項２】
請求項１に記載のビーズ用糸通し具であって、
上記本体部の一端には、環状部が形成され、
該環状部は、当該環状部に糸を通した状態で、上記ビーズを通過させる際に撓み変形して該ビーズの上記糸への挿通を許容し、当該貫通孔を通過した状態で復元して上記糸から上記本体部へのビーズの戻りを規制するように構成されていることを特徴とするビーズ用糸通し具。
【請求項３】
請求項１に記載のビーズ用糸通し具であって、
上記本体部の一端には、針取付穴が形成され、該針取付穴には、基端に針孔を有する縫い針の先端側が取り付け・取り外し可能に挿入され、
該縫い針は、上記針孔に糸を通した状態で、上記ビーズを本体部から糸に移動させるようになっていることを特徴とするビーズ用糸通し具。
【請求項４】
請求項２に記載のビーズ用糸通し具であって、
上記ビーズ用糸通し具は、１本の直線状ワイヤを折り曲げて一体に形成され、
上記ワイヤの直線状中途部を上記本体部として、上記ワイヤの一方側を環状に折り曲げて上記環状部を形成する一方、上記ワイヤの他方側を折り返して上記鈎状部を形成し、
上記本体部には、折り返された上記ワイヤの一方側を当該ワイヤの直線状中途部に螺旋状に巻き掛けることにより把持部が形成されていることを特徴とするビーズ用糸通し具。
【請求項５】
請求項１から４のいずれか１つに記載のビーズ用糸通し具であって、
上記鈎状部は、上記本体部他端に該本体部一端側に向かって延びるように一体に連続し、先端部が上記本体部との間で鋭角をなすとともに基端部又は中途部が上記ビーズの貫通孔の径以上に本体部から側方に張り出していることを特徴とするビーズ用糸通し具。
【請求項６】
請求項１から４のいずれか１つに記載のビーズ用糸通し具であって、
上記鈎状部は、上記本体部他端に環状に形成され、先端部が尖鋭をなすとともに中途部が上記本体部を中心に線対称をなすように当該本体部の両側に上記貫通孔の径以上に本体部から張り出していることを特徴とするビーズ用糸通し具。
【発明の詳細な説明】
【技術分野】
【０００１】
本発明は、装飾に用いるビーズの貫通孔に糸を通すためのビーズ用糸通し具に関する。
【背景技術】
【０００２】
従来より、手芸等において装飾にビーズを用いる場合、ビーズの貫通孔に糸を通すためにビーズ用糸通し具が用いられる。例えば、特許文献１に開示されているビーズ用糸通し具は、針状の本体部と、該本体部の一端に形成された環状部とを備えていて、該環状部には糸が通されるようになっている。そして、上記ビーズの貫通孔に上記本体部を他端から挿通させ、且つ、上記ビーズを上記本体部の一端側に移動させて糸を通した状態の環状部を通過させることにより、当該ビーズに糸が通されるようになっている。
【先行技術文献】
【特許文献】
【０００３】
【特許文献１】実用新案登録第３０８９１９５号公報（段落０００７〜００１０欄、図１，２）
【発明の概要】
【発明が解決しようとする課題】
【０００４】
ところで、特許文献１のビーズ用糸通し具では、ビーズの貫通孔１つ１つに狙いを定めながら上記本体部を上記貫通孔に挿通させる必要があるので、ビーズの貫通孔への本体部の挿通作業に多くの時間を費やしてしまう。また、当該挿通作業は高い集中力を必要とするので作業者に疲れが溜まり易い。
【０００５】
本発明は、斯かる点に鑑みてなされたものであり、その目的とするところは、ビーズへの挿通作業が容易で作業時間を短縮でき、作業者に疲れが溜まり難いビーズ用糸通し具を提供することにある。
【課題を解決するための手段】
【０００６】
上記の目的を達成するために、本発明は、ビーズ用糸通し具のビーズ挿入側に撓み変形可能な鈎状部を設けたことを特徴とする。
【０００７】
具体的には、直線状に延びる本体部を備え、該本体部一端に直接又は間接に糸を繋いだ状態で、ビーズの貫通孔に上記本体部を他端から挿通させ、且つ、上記ビーズを上記本体部の一端側に移動させて本体部の一端を通過させることにより上記ビーズの貫通孔に糸が通されるように構成されたビーズ用糸通し具において、次のような解決手段を講じた。
【０００８】
すなわち、第１の発明では、上記本体部の他端側には、上記ビーズの貫通孔に挿通する際に撓み変形して該ビーズの上記本体部への外嵌を許容し、当該貫通孔を通過した状態で復元して上記ビーズの上記本体部他端側からの脱落を規制する鈎状部が設けられていることを特徴とする。
【０００９】
第２の発明では、第１の発明において、上記本体部の一端には、環状部が形成され、該環状部は、当該環状部に糸を通した状態で、上記ビーズを通過させる際に撓み変形して該ビーズの上記糸への挿通を許容し、当該貫通孔を通過した状態で復元して上記糸から上記本体部へのビーズの戻りを規制するように構成されていることを特徴とする。
【００１０】
第３の発明では、第１の発明において、上記本体部の一端には、針取付穴が形成され、該針取付穴には、基端に針孔を有する縫い針の先端側が取り付け・取り外し可能に挿入され、該縫い針は、上記針孔に糸を通した状態で、上記ビーズを本体部から糸に移動させるようになっていることを特徴とする。
【００１１】
第４の発明では、第２の発明において、上記ビーズ用糸通し具は、１本の直線状ワイヤを折り曲げて一体に形成され、上記ワイヤの直線状中途部を上記本体部として、上記ワイヤの一方側を環状に折り曲げて上記環状部を形成する一方、上記ワイヤの他方側を折り返して上記鈎状部を形成し、上記本体部には、折り返された上記ワイヤの一方側を当該ワイヤの直線状中途部に螺旋状に巻き掛けることにより把持部が形成されていることを特徴とする。
【００１２】
第５の発明では、第１から第４のいずれか１つの発明において、上記鈎状部は、上記本体部他端に該本体部一端側に向かって延びるように一体に連続し、先端部が上記本体部との間で鋭角をなすとともに基端部又は中途部が上記ビーズの貫通孔の径以上に本体部から側方に張り出していることを特徴とする。
【００１３】
第６の発明では、第１から第４のいずれか１つの発明において、上記鈎状部は、上記本体部他端に環状に形成され、先端部が尖鋭をなすとともに中途部が上記本体部を中心に線対称をなすように当該本体部の両側に上記貫通孔の径以上に本体部から張り出していることを特徴とする。
【発明の効果】
【００１４】
第１の発明では、複数のビーズが溜められたケース内にビーズ用糸通し具の鈎状部を挿入するだけで、ケース内のビーズの中で、上記鈎状部に対向する位置のビーズの貫通孔に上記鈎状部が挿通し、該鈎状部により上記ビーズが上記本体部他端側から脱落しなくなる。したがって、特許文献１のように、ビーズの貫通孔１つ１つに狙いを定めながら本体部を上記貫通孔に挿通させる必要はなく、挿通作業が極めて簡単容易であり、作業者が疲れない。
【００１５】
第２の発明では、環状部がビーズを通過させる際に撓み変形するほどに大きな環状をなしているので、作業者は環状部に容易に糸を通すことができる。また、ビーズを移動させて環状部を通過させると、ビーズが糸側からビーズ用糸通し具の本体部側に戻ろうとしても上記環状部に引っ掛かるようになる。したがって、ビーズの挿通作業時に既に糸を通したビーズが邪魔になることがなく挿通作業がし易い。
【００１６】
第３の発明では、縫い針の針孔に糸を通したままの状態で容易にビーズの貫通孔に糸を通せるようになるので、裁縫中にビーズを使用する場合において、針孔から糸を一度外してビーズ用糸通し具に糸を繋ぎかえるといった手間が省けて作業時間を短縮できる。
【００１７】
第４の発明では、把持部と作業者の指先との間の摩擦抵抗が高くなるので、作業時に本体部が滑り難く、作業を効率良く行うことができる。
【００１８】
第５の発明では、複数のビーズが溜められたケース内にビーズ用糸通し具の鈎状部を挿入する際に、当該鈎状部に対向する位置のビーズの貫通孔に鈎状部が挿通し易くなり、上記ビーズの本体部への挿通作業を確実に行うことができる。
【００１９】
第６の発明では、ビーズの貫通孔に鈎状部が挿通し易くなって上記ビーズの本体部への挿通作業を確実に行うことができる。また、ビーズを本体部に外嵌した状態で、鈎状部とビーズの貫通孔周縁との接触部分が多くなるので、上記ビーズの本体部からの脱落を確実に防止することができる。
【図面の簡単な説明】
【００２０】
【図１】本発明の実施形態１に係るビーズ用糸通し具の斜視図である。
【図２】本発明の実施形態１に係るビーズ用糸通し具を複数のビーズが溜まるケース内に挿入する直前の状態を示した図である。
【図３】本発明の実施形態１に係るビーズ用糸通し具を複数のビーズが溜まるケース内に挿入した直後の状態を示した図である。
【図４】ビーズの貫通孔に鈎状部を挿通する工程を示した断面図であり、（ａ）は、鈎状部が１つめのビーズの貫通孔に挿通する直前の状態を、（ｂ）は、鈎状部が１つめのビーズの貫通孔に挿通した直後の状態を、（ｃ）は、鈎状部が２つめのビーズの貫通孔に挿通した直後の状態を、（ｄ）は、１つめのビーズが鈎状部を通過した直後の状態を、（ｅ）は、２つめのビーズが鈎状部を通過した直後の状態を示す図である。
【図５】本発明の実施形態１に係るビーズ用糸通し具を複数のビーズが溜まるケース内から引き抜いた直後の状態を示した図である。
【図６】本発明の実施形態１に係るビーズ用糸通し具の把持部に挿通しているビーズを移動させて環状部を通過させている状態を示す図である。
【図７】ビーズの貫通孔に糸が通された状態を示す図である。
【図８】本発明の実施形態２に係る図１相当図である。
【図９】本発明の実施形態３に係る図１相当図である。
【図１０】（ａ）は、本発明の実施形態４に係る図９相当図であり、（ｂ）は（ａ）のＡ−Ａ線断面図である。
【図１１】本発明の実施形態５に係る図９相当図であり、ビーズ用糸通し具の把持部を部分的に断面にした図である。
【図１２】本発明の実施形態６に係る図１相当図であり、ビーズ用糸通し具の把持部を部分的に断面にした図である。
【図１３】本発明の実施形態７に係るビーズ用糸通し具の斜視図であり、ビーズ用糸通し具の把持部を部分的に断面にした図である。
【図１４】本発明の実施形態８に係る図１３相当図であり、縫い針をビーズ用糸通し具に取り付けた状態を示す図である。
【発明を実施するための形態】
【００２１】
以下、本発明の実施形態を図面に基づいて詳細に説明する。尚、以下の好ましい実施形態の説明は、本質的に例示に過ぎない。
《発明の実施形態１》
図１は、本発明の実施形態１に係るビーズ用糸通し具１を示す。該ビーズ用糸通し具１は、ビーズ１０（図２〜７に示す）を使用して小物を制作したり、衣服にビーズ１０を縫い付けて加工したりする際に、上記ビーズ１０の貫通孔１０ａに糸１１を通し易くするものである。
【００２２】
上記ビーズ用糸通し具１は、直線状に延びる本体部２と、該本体部２の一端に形成された環状部３と、上記本体部２の他端に形成された鈎状部４とで構成されていて、上記環状部３に糸１１を通すことにより、上記本体部２一端に間接に糸１１が繋がるようになっている。上記ビーズ用糸通し具１は、１本の直線状鉄製ワイヤを折り曲げて一体に形成され、ワイヤの直線状中途部を上記本体部２として、ワイヤの一方側を略菱形形状をなす環状に折り曲げて上記環状部３を形成し、且つ、ワイヤの一方側の折り返した部分を上記ワイヤの中途部外周に螺旋状に巻き掛けてワイヤ巻掛部５を形成し、当該ワイヤ巻掛部５が本発明の作業者が把持する部分となる把持部６を構成する一方、ワイヤの他方側を略Ｊの字状に折り返すことにより鈎状部４を形成するようになっている。
【００２３】
該鈎状部４は、上記本体部２の他端に一体に連続していて、上記本体部２一端側に向かって延びるように形成されている。上記鈎状部４の先端部４ａは、上記本体部２との間で鋭角をなし、上記鈎状部４の基端部４ｂは、上記貫通孔１０ａの径以上に本体部２から側方に張り出している。
【００２４】
そして、上記鈎状部４は、上記ビーズ１０の貫通孔１０ａに挿通する際に撓み変形して該ビーズ１０の上記本体部２への外嵌を許容し、当該貫通孔１０ａを通過した状態で復元して上記ビーズ１０の上記本体部２他端側からの脱落を規制するようになっている。
【００２５】
また、上記本体部２及びワイヤ巻掛部５の外径は、上記ビーズ１０の貫通孔１０ａの内径より小さい寸法で形成されていて、上記ビーズ１０を上記本体部２及びワイヤ巻掛部５に沿って当該本体部２の一端側に移動させることができるようになっている。
【００２６】
さらに、上記環状部３は、ビーズ１０を通過させる際に撓み変形するほどに大きな環状をなしていて、上記環状部３に糸１１を通した状態で、上記本体部２から上記糸１１へとビーズ１０を通過させる際に撓み変形して上記ビーズ１０の上記糸１１への挿通を許容し、当該貫通孔１０ａを通過した状態で復元して上記糸１１から上記本体部２（ワイヤ巻掛部５）へのビーズ１０の戻りを規制するようになっていて、上述の通り、鈎状部４、本体部２、ワイヤ巻掛部５及び環状部３が上記ビーズ１０の貫通孔１０ａを順次通過してビーズ１０の貫通孔１０ａに糸が通されるように構成されている。
【００２７】
次に、上記ビーズ用糸通し具１を用いて、ビーズ１０の貫通孔１０ａに糸１１を通す方法について説明する。
【００２８】
まず、作業者は、図２に示すように、複数のビーズ１０が溜められた円柱状ケース１２を用意する。
【００２９】
次に、上記ビーズ用糸通し具１の環状部３に糸１１を通し、上記ケース１２の上方において、上記鈎状部４が下方に位置するように上記ビーズ用糸通し具１を指先で持つ。
【００３０】
そして、作業者は、図３に示すように、上記ケース１２内にビーズ用糸通し具１の鈎状部４を挿入する。すると、例えば、図４（ａ）、（ｂ）に示すように、まず、ケース１２内のビーズ１０の中で、上記鈎状部４に対向する位置の１つめのビーズ１０の貫通孔１０ａに上記鈎状部４の先端部４ａが挿通する。
【００３１】
しかる後、図４（ｃ）に示すように、上記鈎状部４の基端部４ｂが撓み変形しながら上記１つめのビーズ１０の貫通孔１０ａを通過しつつ、２つめのビーズ１０の貫通孔１０ａに上記鈎状部４の先端部４ａが挿通し始める。
【００３２】
その後、図４（ｄ）に示すように、１つめのビーズ１０が上記鈎状部４を通過した後、当該鈎状部４が復元して上記ビーズ１０の本体部２他端側からの脱落を規制する。
【００３３】
そして、図５（ｅ）に示すように、上記鈎状部４の基端部４ｂが撓み変形しながら上記２つめのビーズ１０の貫通孔１０ａを通過し、２つめのビーズ１０が上記鈎状部４を通過した後、当該鈎状部４が復元して上記ビーズ１０の本体部２他端側からの脱落を規制する。このとき、２つめのビーズ１０は、１つめのビーズ１０を上方に押しのけながら上記鈎状部４を通過する。
【００３４】
尚、ビーズ用糸通し具１をケース１２内に挿入した際、上述の例の如き２つのビーズ１０が本体部２に挿通される場合に限らず、ビーズ１０が３つ以上挿通される場合や、１つだけ挿通される場合もある。
【００３５】
しかる後、作業者が、図５に示すように、上記ケース１２内から上記ビーズ用糸通し具１を引き抜く。そして、図６に示すように、左手で本体部２の他端側を持ちつつ、右手でビーズ１０を本体部２（ワイヤ巻掛部５）の一端側に移動させて上記環状部３を通過させる。すると、当該環状部３が撓み変形して上記ビーズ１０の上記糸１１への挿通を許容し、上記貫通孔１０ａを通過した状態で復元して上記糸１１から本体部２（ワイヤ巻掛部５）へのビーズ１０の戻りを規制する。
【００３６】
その後、図７に示すように、ビーズ１０の貫通孔１０ａに糸１１が通される。そして、上記一連の動作を繰り返して糸１１に複数のビーズ１０を通す。
【００３７】
以上より、本発明の実施形態１によれば、複数のビーズ１０が溜められたケース１２内にビーズ用糸通し具１の鈎状部４を挿入するだけで、ケース１２内のビーズ１０の中で、上記鈎状部４に対向する位置のビーズ１０の貫通孔１０ａに上記鈎状部４が挿通し、該鈎状部４により上記ビーズ１０が上記本体部２他端側から脱落しなくなる。したがって、特許文献１のように、ビーズ１０の貫通孔１０ａ１つ１つに狙いを定めながら本体部２を上記貫通孔１０ａに挿通させる必要はなく、挿通作業が極めて簡単容易であり、作業者が疲れない。
【００３８】
また、環状部３がビーズ１０を通過させる際に撓み変形するほどに大きな環状をなしているので、作業者は環状部３に容易に糸１１を通すことができる。また、ビーズ１０を移動させて環状部３を通過させると、ビーズ１０が糸１１側からビーズ用糸通し具１の本体部２側に戻ろうとしても上記環状部３に引っ掛かるようになる。したがって、ビーズ１０の挿通作業時に既に糸１１を通したビーズ１０が邪魔になることがなく挿通作業がし易い。
【００３９】
さらに、先端部４ａが上記本体部２との間で鋭角をなしているので、複数のビーズ１０が溜められたケース１２内にビーズ用糸通し具１の鈎状部４を挿入する際に、上記鈎状部４に対向する位置のビーズ１０の貫通孔１０ａに鈎状部４が挿通し易くなり、上記ビーズ１０の本体部２への挿通作業を確実に行うことができる。
【００４０】
それに加えて、把持部６は、ワイヤが螺旋状に巻き掛けられて形成されているので、上記把持部６と作業者の指先との間の摩擦抵抗が高くなり、作業時に把持部６が滑り難く、作業を効率良く行うことができる。
《発明の実施形態２》
図８は、本発明の実施形態２に係るビーズ用糸通し具１を示す。この実施形態２では、鈎状部４の中途部４ｃが、上記貫通孔１０ａの径以上に本体部２から略Ｖ字状に側方に張り出して鈎状部４の基端部４ｂが本体部２側に向いている構造が実施形態１と異なっているだけで、その他の構造とビーズ１０に糸１１を通す方法とは実施形態１と同じであるため、以下、詳細な説明を省略する。
【００４１】
以上より、本発明の実施形態２では、実施形態１と同様の効果が得られるとともに、鈎状部４の基端部４ｂが本体部２側に向いているので、基端部４ｂが作業者の指先に接触し難くなり、作業者が安全に作業することができる。
《発明の実施形態３》
図９は、本発明の実施形態３に係るビーズ用糸通し具１を示す。この実施形態３では、鈎状部４の構造が実施形態１と異なっているだけで、その他の構造とビーズ１０に糸１１を通す方法とは実施形態１と同じであるため、以下、実施形態１と同様の部分には同一の符号を付し、異なる部分のみを詳細に説明する。
【００４２】
実施形態３に係る鈎状部４は、１本のワイヤの他方側を略矢印形状をなす環状に折り曲げることにより形成され、当該部分で鈎状部４が構成されている。該鈎状部４の先端部４ａは尖鋭をなし、上記鈎状部４の中途部４ｃは、上記本体部２を中心に線対称をなすように当該本体部２の両側に上記貫通孔１０ａの径以上に本体部２から張り出している。
【００４３】
以上より、本発明の実施形態３によれば、実施形態１と同様の効果が得られるとともに、ビーズ１０を本体部２に外嵌した状態で、鈎状部４とビーズ１０の貫通孔１０ａ周縁との接触部分が多くなるので、上記ビーズ１０の本体部２からの脱落を確実に防止することができる。
《発明の実施形態４》
図１０は、本発明の実施形態４に係るビーズ用糸通し具１を示す。この実施形態４では、本体部２及び把持部６が実施形態３と異なっているだけで、その他の構造とビーズ１０に糸１１を通す方法とは実施形態３と同じであるため、以下、実施形態３と同様の部分には同一の符号を付し、異なる部分のみを詳細に説明する。
【００４４】
実施形態４に係る本体部２は、１本のワイヤの一方側及び他方側をそれぞれ折り曲げて、折り返した部分を上記ワイヤの中央部分に沿わせることにより形成されるようになっている。そして、上記本体部２の並列するワイヤ部分は、長筒状部材７で覆って当該長筒状部材７の断面形状が略楕円形状となるようにかしめることにより固定されていて、上記長筒状部材７が本発明の実施形態４に係る把持部６を構成し、実施形態１〜３とは異なり本体部２と把持部６とが別体構造となっている。
【００４５】
以上より、本発明の実施形態４によれば、実施形態３と同様の効果が得られるとともに、外観見栄えが良くなり、意匠性を高めることができる。
《発明の実施形態５》
図１１は、本発明の実施形態５に係るビーズ用糸通し具１を示す。この実施形態５では、把持部６が実施形態３と異なっているだけで、その他の構造とビーズ１０に糸１１を通す方法とは実施形態３と同じであるため、以下、実施形態３と同様の部分には同一の符号を付し、異なる部分のみを詳細に説明する。
【００４６】
実施形態５に係るワイヤ巻掛部５は、端部が鈎状部４に近接する位置にまで達していて、把持部６は、長筒状部材７で上記ワイヤ巻掛部５全部を覆い、且つ、当該長筒状部材７の長手方向両端部分をかしめることにより形成されていて、実施形態１〜３とは異なり本体部２と把持部６とが別体構造となっている。
【００４７】
以上より、本発明の実施形態５によれば、実施形態３と同様の効果が得られるとともに、把持部６が断面略円状をなしているので、実施形態４に比べてさらに外観見栄えが良くなり、意匠性を高めることができる。
《発明の実施形態６》
図１２は、本発明の実施形態６に係るビーズ用糸通し具１を示す。この実施形態６では、ビーズ用糸通し具１が一体構造でない点が実施形態１と異なっていて、以下、実施形態１と同様の部分には同一の符号を付し、異なる部分のみを詳細に説明する。
【００４８】
実施形態６のビーズ用糸通し具１は、環状部３を有する第１部材８及び鈎状部４を有する第２部材９を上記長筒状部材７に組み付けることにより形成されるようになっている。
【００４９】
上記第１部材８及び第２部材９は、実施形態１のビーズ用糸通し具１をワイヤ巻掛部５長手方向略中央で分離させたものであり、上記第１部材８は、環状部３及び環状部側巻掛部８ｂで構成され、上記第２部材９は、鈎状部４、直線状部分の針状部９ａ及び鈎状部側巻掛部９ｂで構成されている。
【００５０】
そして、ビーズ用糸通し具１は、長筒状部材７の長手方向一方側に上記第１部材８の環状部側巻掛部８ｂを挿入してかしめるとともに長手方向他方側に上記第２部材９の鈎状部側巻掛部９ｂを挿入してかしめることにより形成されるようになっていて、上記長筒状部材７が本発明の実施形態６に係る把持部６を構成し、上記環状部側巻掛部８ｂ、針状部９ａ、鈎状部側巻掛部９ｂ及び長筒状部材７が本発明の実施形態６に係る本体部２を構成している。
【００５１】
以上より、本発明の実施形態６によれば、実施形態１と同様の効果が得られるとともに外観見栄えの良い意匠性の高いビーズ用糸通し具１とすることができる。
【００５２】
尚、実施形態６の第１部材８及び第２部材９は、実施形態１のビーズ用糸通し具１を２つに分離して形成しているが、それぞれをワイヤから別々に形成して長筒状部材７に組み付けるようにしてもよい。
《発明の実施形態７》
図１３は、本発明の実施形態７に係るビーズ用糸通し具１を示す。この実施形態７では、実施形態６の如き第１部材８が長筒状部材７に組み付けられておらず、該長筒状部材７の一端側が実施形態６と異なっていて、その他の構造とビーズ１０に糸１１を通す際に環状部３を通過させない点を除いて実施形態６と同じであるため、以下、実施形態６と同様の部分には同一の符号を付し、異なる部分のみを詳細に説明する。
【００５３】
実施形態７の長筒状部材７一端側には、当該長筒状部材７の中心軸に交差するように貫通する貫通孔７ａが形成されている。上記長筒状部材７が本発明の実施形態７に係る把持部６を構成し、上記針状部９ａ、鈎状部側巻掛部９ｂ及び長筒状部材７が本発明の実施形態７に係る本体部２を構成している。そして、上記貫通孔７ａに糸１１を通すことにより、上記本体部２一端に直接に糸１１が繋がるようになっている。
【００５４】
以上より、本発明の実施形態７によれば、実施形態６の如き本体部２に第１部材８を組み付ける必要がなく、組立コストを抑えることができる。
《発明の実施形態８》
図１４は、本発明の実施形態８に係るビーズ用糸通し具１を示す。この実施形態８では、長筒状部材７の一端側の構造が実施形態７と異なっていて、その他の構造は実施形態７と同じであるため、以下、実施形態７と同様の部分には同一の符号を付し、異なる部分のみを詳細に説明する。
【００５５】
実施形態８の長筒状部材７一端側には、端部に開口を有する針取付穴７ｂが形成されていて、該針取付穴７ｂには、基端に針孔Ｎ１を有する縫い針Ｎの先端側が取り付け・取り外し可能に挿入されるようになっている。そして、上記縫い針Ｎは、上記針孔Ｎ１に糸１１を通した状態で、上記ビーズ１０を本体部２から糸１１に移動させるようになっている。
【００５６】
尚、上記ビーズ用糸通し具１を用いて、ビーズ１０の貫通孔１０ａに糸１１を通す方法は、ビーズ１０を実施形態１〜６の如き環状部３を通過させるのではなく、縫い針Ｎを通過させることにより、ビーズ１０の貫通孔１０ａに上記縫い針Ｎに通された糸１１が通されるようになっている点が実施形態７と異なるだけなので、詳細な説明は省略する。
【００５７】
以上より、本発明の実施形態８によれば、縫い針Ｎの針孔Ｎ１に糸１１を通したままの状態で容易にビーズ１０の貫通孔１０ａに糸１１を通せるようになるので、裁縫中にビーズ１０を使用する場合において、針孔Ｎ１から糸１１を一度外してビーズ用糸通し具１に糸１１を繋ぎかえるといった手間が省けて作業時間を短縮できる。
【００５８】
尚、本発明の実施形態１〜８では、ビーズ用糸通し具１を鉄製ワイヤで製作したが、これに限らず、鈎状部４が撓み変形可能であれば、材質にこだわらない。
【００５９】
また、実施形態８では、針取付穴７ｂに縫い針Ｎの先端側を取り付けるようにしているが、上記針取付穴７ｂに糸１１を直接挿入し、長筒状部材７の一端側をかしめることにより糸１１を本体部２一端に繋げるようにしてもよい。この場合、ビーズ１０の貫通孔１０ａに糸１１を通した後で本体部２一端と糸１１とをハサミ等で切り離す必要があり、ビーズ用糸通し具１は使い捨てとなる。
【産業上の利用可能性】
【００６０】
本発明は、装飾に用いるビーズの貫通孔に糸を通すためのビーズ用糸通し具に適している。
【符号の説明】
【００６１】
１        ビーズ用糸通し具
２        本体部
２ｅ        針取付用穴
３        環状部
４        鈎状部
１０        ビーズ
１０ａ        貫通孔
１１        糸
Ｎ        縫い針
Ｎ１        針孔
【図１】
2012219390.tif 000003
【図２】
2012219390.tif 000004
【図３】
2012219390.tif 000005
【図４】
2012219390.tif 000006
【図５】
2012219390.tif 000007
【図６】
2012219390.tif 000008
【図７】
2012219390.tif 000009
【図８】
2012219390.tif 000010
【図９】
2012219390.tif 000011
【図１０】
2012219390.tif 000012
【図１１】
2012219390.tif 000013
【図１２】
2012219390.tif 000014
【図１３】
2012219390.tif 000015
【図１４】
2012219390.tif 000016